(57)【要約】【課題】調光制御装置において、停電時にバックアップ電源の容量を越えず、かつ再生中のシーンに応じた最適な照明負荷を選択しシーンを再生することを可能とする。【解決手段】調光制御装置１０は、調光操作卓１と、照明負荷３の明るさを調光する負荷回路２と、商用電源６の停電を検出する停電検出部５と、バックアップ電源７と、電力供給源を商用電源６とバックアップ電源７との間で切り替える電源切り替え部４と、を備え、調光操作卓１は、電力Ｐ３の供給を受け、照明負荷３の明るさを制御する調光信号Ｓを出力し、負荷回路２を介してシーンを再生する。調光操作卓１は、再生中のシーンについての情報、バックアップ電源７の容量、負荷回路２からのリターンバック情報Ｒ、及び照明負荷３の優先度順位データとに基づいて、停電時に再生中のシーンに最適な照明負荷３を選択して選択結果を出力する停電時最適出力選択部を備えている。【選択図】図５
2006128002.tif 000002
【特許請求の範囲】
【請求項１】
外部電源から電力供給を受けて複数の照明負荷の明るさを制御する調光信号を出力する調光操作卓と、
前記調光信号を受信して前記照明負荷の明るさを調光する負荷回路と、
外部電源が停電したことを検出する停電検出部と、
バックアップ電源と、
前記停電検出部により停電が検出されたときに前記調光操作卓への電力供給を外部電源から前記バックアップ電源に切り替える電源切り替え部と、を備え、予め設定されている複数の照明負荷の調光レベルによるシーンを再生する機能を有する調光制御装置であって、
停電により電力供給が外部電源からバックアップ電源に切り替わったときに、停電になる直前の再生中のシーンについての情報と前記バックアップ電源の容量とに基づいて、最適なシーンでの再生となるように照明負荷を選択する停電時最適出力選択部を備えたことを特徴とする調光制御装置。
【請求項２】
前記調光操作卓は、停電時におけるシーンとして予め設定されている停電シーンを非停電時の各シーンに対応させて記憶し、
前記停電時最適出力選択部は、停電に際して停電になる直前の再生中のシーンに対応した停電シーンを自動的に選択することを特徴とする請求項１記載の調光制御装置。
【請求項３】
前記調光操作卓は、停電時に動作する照明負荷を記憶し、
前記停電時最適出力選択部は、停電に際して停電になる直前の再生中のシーンに係る照明負荷のうち、前記記憶された照明負荷以外の照明負荷を消灯するようにしたことを特徴とする請求項１記載の調光制御装置。
【請求項４】
前記停電時最適出力選択部は、停電に際して照明負荷の稼働状態を示すリターンバック情報を前記負荷回路から受け取り、このリターンバック情報に基づいて停電になる直前の再生中のシーンに必要な電力量を求め、求めた電力量と前記バックアップ電源の容量とを比較し、再生中の全ての照明負荷に電力を出力可能な場合は全ての照明負荷に電力を出力し、前記電力量が前記容量をオーバする場合は予め定めた優先順位の高い順に照明負荷を選択し、優先順位の低い照明負荷の点灯を抑えることを特徴とする請求項２又は請求項３記載の調光制御装置。
【発明の詳細な説明】
【技術分野】
【０００１】
本発明は、照明負荷の明るさを制御する調光制御装置に関する。
【背景技術】
【０００２】
従来から、舞台やスタジオなどにおける調光システムや調光制御装置は、収録中や本番中、特に生番組中に照明を落さないように、エンジンで発電するジェネレータなどからなるバックアップ電源を装備し、停電時にバックアップ電源に切り替えて必要な明かりを点灯する仕組みを備えている。また、通常、バックアップ電源には電力供給容量の制限があって全ての照明負荷に対しては電力を供給できないので、停電時にも動作が必要とされる基本となる照明負荷を予め選択して調光制御装置に記憶しておき、停電を検出したときに、記憶されている照明負荷のみを用いて照明を行う手法がとられている（例えば、特許文献１参照）。
【０００３】
従来の調光制御装置を、図９乃至図１２を参照して説明する。図９は停電時の電源切替機能を備えた一般的な調光制御装置１０を示す。調光制御装置１０は、調光制御の中心的な機能を有する調光操作卓１と、照明負荷３の明るさを調光する負荷回路２と、外部の商用電源６からの電力供給の停止（以下停電と記す）を検出する停電検出部５と、バックアップ電源７と、電力供給源を商用電源６とバックアップ電源７との間で切り替える電源切り替え部４と、を備えている。停電が発生したときに、停電検出部５が停電を検出し、停電検出信号Ｔを、電源切り替え部４と調光操作卓１に出力する。停電検出信号Ｔを受信した電源切り替え部４は、入力電源を商用電源６からバックアップ電源７に切り替えて、調光操作卓１に供給する電力Ｐ３を商用電源６による電力Ｐ１からバックアップ電源７による電力Ｐ２に切り替える。
【０００４】
上述の調光操作卓１は、外部の商用電源６から電力Ｐ１，Ｐ３の供給を受けるとともに、負荷回路２を介して照明負荷３の明るさを制御するため調光信号Ｓと電力Ｐ４を負荷回路２に向けて出力する。照明負荷３による調光と照明は、予め各照明負荷３の調光レベルを設定して組合せたシーンと呼ばれる照明制御パターンに基づいて、照明負荷３への電力を制御する（シーンの再生と称する）ことにより行われる。そこで、負荷回路２は、調光信号Ｓを受信して調光信号Ｓに基づいてシーンを再生し、照明負荷３の明るさを調光する。
【０００５】
上述した調光操作卓１をさらに説明する。従来の調光操作卓１は、図１０に示すように、制御信号を入出力して各部の制御を行う制御部１１と、図１１に示すようなシーンデータＤ５を記憶する記憶部１２と、調光信号Ｓを出力する出力部１３と、装置状態を装置のユーザに表示する表示部１４と、ユーザが装置を操作するための操作部１５とを備えている。制御部１１は、停電検出信号Ｔを受信すると表示部１４の画面又はＬＥＤ点灯等により停電をユーザに知らせる。
【０００６】
上述の調光操作卓１を備えた調光制御装置１０による停電時のシーンの再生動作を説明する。従来から、停電時に再生するシーンとして停電時仕様の「停電シーン」を予め準備しておき、停電時に、この停電シーンを用いて照明を行うことが行われている。例えば、図１１に示すシーンデータＤ５は、照明負荷３の調光レベルの種々の組合せからなる複数のシーン１，２，・・の一つとして単一の「停電シーン」を含んでいる。停電時に、ユーザは、表示部１４における表示によって停電を認識し、操作部１５を操作して停電シーンの呼び出し操作を行う。すると、制御部１１が、記憶部１２に記憶されたシーンデータＤ５から停電シーンを呼び出して、停電シーンの信号を作成し、出力部１３に出力する。出力部１３は、この信号を受けて、停電シーンに対応した照明負荷のレベルを再現してシーンを再生するための調光信号Ｓを出力する。
【０００７】
ところで、図１２は、実際のスタジオでよく使われるランプ群ＬＡ，ＬＢ，ＬＣ等からなる照明負荷３の例を示している。テレビ局のスタジオなどでは、一つのスタジオ内に複数のセットＡ，Ｂ，Ｃが組まれ、これらが一つの調光制御装置１０によって制御される。事前に使用するセットに対応したシーンが調光制御装置１０を用いて設定され、照明実行時に調光制御装置１０によって各シーンが選択されて再生される。すなわち、必要な照明負荷のレベルが再現される。
【特許文献１】特開昭５１−１１６６６８号公報
【発明の開示】
【発明が解決しようとする課題】
【０００８】
しかしながら、上述したような調光操作卓１を備えた調光制御装置１０においては、図１２に示すように一つのスタジオ内に３つのセットＡ，Ｂ，Ｃが設置される場合、ランプ群ＬＡはセットＡで使用される負荷であり、ランプ群ＬＢはセットＢで使用される負荷であり、ランプ群ＬＣはセットＣで使用される負荷である。そこで、例えば、セットＡとセットＣのみ使用している場合、ランプ群ＬＢを点灯させる必要はない。そのため、図１１に示すような単一の停電シーンだけでは、全体的に最低限必要な明かりを点灯させることしか行えず、最適な調光制御ができない。また、停電シーンを複数用意したとしても、ユーザが最適シーンを選択できるとは限らない。このような問題は、特許文献１に示される調光制御装置においても同様であり、再生中のシーンについての情報を「停電シーン」に加味にしていないことに一つの原因がある。
【０００９】
本発明は、上記課題を解消するものであって、停電時にバックアップ電源の容量を越えず、かつ再生中のシーンに応じた最適な照明負荷を選択してシーンを再生することができる調光制御装置を提供することを目的とする。
【課題を解決するための手段】
【００１０】
上記課題を達成するために、請求項１の発明は、外部電源から電力供給を受けて複数の照明負荷の明るさを制御する調光信号を出力する調光操作卓と、前記調光信号を受信して前記照明負荷の明るさを調光する負荷回路と、外部電源が停電したことを検出する停電検出部と、バックアップ電源と、前記停電検出部により停電が検出されたときに前記調光操作卓への電力供給を外部電源から前記バックアップ電源に切り替える電源切り替え部と、を備え、予め設定されている複数の照明負荷の調光レベルによるシーンを再生する機能を有する調光制御装置であって、停電により電力供給が外部電源からバックアップ電源に切り替わったときに、停電になる直前の再生中のシーンについての情報と前記バックアップ電源の容量とに基づいて、最適なシーンでの再生となるように照明負荷を選択する停電時最適出力選択部を備えたものである。
【００１１】
請求項２の発明は、請求項１記載の調光制御装置において、前記調光操作卓は、停電時におけるシーンとして予め設定されている停電シーンを非停電時の各シーンに対応させて記憶し、前記停電時最適出力選択部は、停電に際して停電になる直前の再生中のシーンに対応した停電シーンを自動的に選択するものである。
【００１２】
請求項３の発明は、請求項１記載の調光制御装置において、前記調光操作卓は、停電時に動作する照明負荷を記憶し、前記停電時最適出力選択部は、停電に際して停電になる直前の再生中のシーンに係る照明負荷のうち、前記記憶された照明負荷以外の照明負荷を消灯するようにしたものである。
【００１３】
請求項４の発明は、請求項２又は請求項３記載の調光制御装置において、前記停電時最適出力選択部は、停電に際して照明負荷の稼働状態を示すリターンバック情報を前記負荷回路から受け取り、このリターンバック情報に基づいて停電になる直前の再生中のシーンに必要な電力量を求め、求めた電力量と前記バックアップ電源の容量とを比較し、再生中の全ての照明負荷に電力を出力可能な場合は全ての照明負荷に電力を出力し、前記電力量が前記容量をオーバする場合は予め定めた優先順位の高い順に照明負荷を選択し、優先順位の低い照明負荷の点灯を抑えるものである。
【発明の効果】
【００１４】
請求項１の発明によれば、停電時最適出力選択部を備えてこれにより停電時に外部電源からバックアップ電源に切り替わったときに、再生中のシーンについての情報とバックアップ電源の容量とに基づいて、停電になる直前の再生中のシーンに最適な照明負荷を選択して停電時のシーンを再生するので、停電時にも明かりの変化を最小限にとどめて、収録等の作業を続行できる。
【００１５】
請求項２の発明によれば、非停電時の各シーンに対応した停電シーンをそれぞれ用意しておき、停電時にバックアップ電源が供給されると、停電発生時に停電になる直前の再生中のシーンに対応した停電シーンを自動的に選択して再生するので、再生していない不要なシーンの負荷に供給する電力を抑え、再生シーンに適した必要な明かりのみを点灯することができる。
【００１６】
請求項３の発明によれば、予め停電時に出力する照明負荷を選択して設定するので、停電時に出力する照明負荷を選択できるとともに不要な照明負荷を消灯でき、再生シーンに適した明かりを出力することができる。
【００１７】
請求項４の発明によれば、負荷回路からのリターンバック情報に基づいて再生中のシーンに必要な電力量を計算し、バックアップ電源の容量を越えないように制御するとともに、予め各照明負荷に優先順位を設け、その優先順位に従って出力する照明負荷を選択するので、停電時にバックアップ電源の容量を越えず、かつ優先度の高い負荷から順に選択して点灯でき、優先度の低い負荷への出力を抑えて必要な負荷のみ出力することができる。
【発明を実施するための最良の形態】
【００１８】
以下、本発明の一実施形態に係る調光制御装置について、図面を参照して説明する。図１は本発明の調光制御装置における調光操作卓１のブロック構成を示す。なお、本発明における調光制御装置の全体構成は、従来例の説明のために図９に示した調光制御装置１０と同様であり、説明は省略して適宜図９を参照する。調光操作卓１は、図１に示すように、制御用の信号を入出力して各部の制御を行う制御部１１と、シーンデータを記憶する記憶部１２と、調光信号Ｓを出力する出力部１３と、装置状態を装置のユーザに表示する表示部１４と、ユーザが装置を操作するための操作部１５と、停電時に、再生中のシーンについての情報とバックアップ電源７の容量とに基づいて、再生中のシーンに最適な照明負荷３を選択して選択結果を出力する停電時最適出力選択部１６と、を備えている。
【００１９】
調光操作卓１は、停電時最適出力選択部１６を備えている点、さらに、記憶部１２に記憶され停電時最適出力選択部１６と制御部１１とによって参照されるシーンデータの構成が強化されている点（後述）が、従来の調光操作卓１及び従来の調光制御装置１０と大きく異なっている。本発明の調光制御装置１０は、これらの点により、停電時にバックアップ電源の容量を越えず、かつ再生中のシーンに応じた最適な負荷を選択してシーン（停電シーン）を再生することを可能としている。すなわち、停電時に制御部１１が停電検出信号Ｔを受信することにより停電が発生したことを認識した調光操作卓１は、内部に備えた停電時最適出力選択部１６によって出力する照明負荷を選択し、選択結果に基づいて調光信号Ｓを作成して出力することにより停電時に最適なシーンを再生する。
【００２０】
ここで、図２、図３を参照して、停電時における上述の停電時最適出力選択部１６が関与する停電シーンの再生についてさらに説明する。調光操作卓１の記憶部１２には、図２に示すようなシーンデータＤ１が記憶されており、各シーン１，２，・・のそれぞれに１対１に対応して停電シーン１，２，・・が設定されている。停電時に制御部１１が停電検出信号Ｔを受信すると、停電時最適出力選択部１６が、図３に示すような停電発生時のシーン再生中／非再生中を示すシーンの情報Ｄ２に基づいて、各シーン１，２，・・について再生中のシーン１，３，・・と非再生中のシーン２，・・を識別し、再生中のシーン１，３，・・に対応する出力すべき停電シーン１，３，・・を選択する。その後、制御部１１が、選択された停電シーン１，３，・・の情報を受け取って、選択された停電シーン１，３，・・のみの負荷を選択して調光信号Ｓを作成し、出力部１３を介して調光信号Ｓを出力する。
【００２１】
次に、図４を参照して、バックアップ電源の容量を超えないための調光操作卓１における構成を説明する。記憶部１２に、図４に示すような照明負荷毎の負荷量など（照明負荷情報）とともにシーンについての情報を持たせた停電時出力負荷選択データＤ３を記憶しておく。図４に示す停電時出力負荷選択データＤ３の例では、左側の欄から順に、９つの照明負荷について、停電時に使用する負荷（◎印）、各負荷の負荷量、各シーン１，２，３がそれぞれ使用する負荷、及び停電時に使用される負荷量とその合計の電力負荷が示めされており、これらが記憶されている。ユーザが、事前にシーンを設定する際に、停電時最適出力選択部１６が、選択される照明負荷の合計電力負荷を計算し、バックアップ電源７の容量を越える場合には、表示部１４を介してユーザに警告を発する。
【００２２】
図４に示す停電時出力負荷選択データＤ３の例において、各シーン１，２，３で使用される照明負荷は、シーン１では負荷１，２，３、シーン２では負荷４，５，６、シーン３では負荷７，８，９である。また、各シーン１，２，３の停電時使用負荷は、シーン１では負荷１，３、シーン２では負荷４，６、シーン３では負荷７，９である。これらの負荷がすべて使用されるときにおいても（電力負荷が６００）、バックアップ電源７の容量（容量が６５０）を超えないよう調整される。このように停電時の照明負荷を設定しておくことにより、全てのシーンを再生中に停電が発生した場合であっても、負荷電力の総量がバックアップ電源７の容量を越えることがなく、シーンの再生が可能である。例えば、シーン１とシーン３を再生中に停電が発生したと仮定すると、上述により負荷１，３，７，９のみの明かりを出力するので、バックアップ電源７の容量を越えることなく、かつ再生するシーンに適した明かりを出力することができる。
【００２３】
次に、図５乃至図８を参照して、本発明の他の調光制御装置１０を説明する。この調光制御装置１０は、図５に示すように、負荷回路２から照明負荷３の電圧や電流量などの値を含む照明負荷の稼働状態を示すリターンバック情報Ｒを出力して、調光操作卓１にこれらの情報を通知する手段を備えている。このリターンバック情報Ｒは、図６に示すように、調光操作卓１における停電時最適出力選択部１６によって受け取られる。そこで、停電時最適出力選択部１６は、停電に際して負荷回路２からのリターンバック情報Ｒに基づいて停電発生時に再生中のシーンに必要な電力の負荷量を求めることができる。
【００２４】
上述のリターンバック情報Ｒを用いて最適出力を行う処理フローを説明する。停電時最適出力選択部１６は、図７に示すように、停電検出部５が発信する停電検出信号Ｔを制御部１１を介して受信すると（Ｓ１）、負荷回路２からのリターンバック情報Ｒを解析し、再生中のシーンの負荷量を積算して合計の電力負荷を求める（Ｓ２）。次に、停電時最適出力選択部１６は、この電力負荷とバックアップ電源７の容量とを比較する（Ｓ３）。比較の結果、電力負荷がバックアップ電源７の容量をオーバしていないと判断された場合（Ｓ３でＮｏ）、再生中の全ての照明負荷に電力を出力可能であるので、停電時最適出力選択部１６は、全ての照明負荷に電力を出力するとの選択を行い、制御部１１と出力部１３を介してその旨の調光信号Ｓを負荷回路２に出力する（Ｓ５）。
【００２５】
また、電力負荷が容量をオーバすると判断された場合（Ｓ３でＹｅｓ）、停電時最適出力選択部１６は、図８に示す照明負荷の優先度順位データＤ４に基づいて、照明負荷の取捨選択を行う（Ｓ４）。優先度順位データＤ４は、各照明負荷の負荷Ｎｏ毎に、例えば４段階の優先順位Ａ，Ｂ，Ｃ，Ｄを設定して記憶部１２に記憶されている。停電時最適出力選択部１６は、負荷の優先順位に従って、優先度順に負荷積算を行い、容量をオーバしない照明負荷までを選択し、制御部１１と出力部１３を介してその旨の調光信号Ｓを負荷回路２に出力する（Ｓ５）。このように、調光制御装置１０は、リターンバック情報Ｒと優先度順位データＤ４とに基づいて、優先順位の高い照明負荷３の順に電力を出力するとともに優先順位の低い照明負荷への出力を抑えることができる。つまり、停電時にバックアップ電源７の容量を越えず、かつ再生中のシーンに応じた、すなわち、再生中のシーンについての情報を「停電シーン」に加味にした、最適な照明負荷３を動的に選択してシーンを再生することができる。
【００２６】
なお、本調光制御装置１０は、ＣＰＵ、メモリ、外部記憶装置、表示装置、入力装置などの一般的な構成を備えた電子計算機上のプロセス又は機能の集合を構成要素として備えて構成することができる。また、本発明は、上記構成に限られることなく種々の変形が可能である。例えば、停電時における照明負荷の取捨選択の他に、選択した照明負荷に対する供給電力量を抑えて電力負荷を抑制する手段を組み合わせて用いることもできる。
【図面の簡単な説明】
【００２７】
【図１】本発明の調光制御装置における調光操作卓のブロック構成図。
【図２】同上調光制御装置において用いられるシーンデータの例を示す図。
【図３】同上調光制御装置において用いられるシーンについての情報の例を示す図。
【図４】同上調光制御装置において用いられる停電時出力負荷選択データの例を示す図。
【図５】本発明の他の調光制御装置を示す全体構成図。
【図６】同上調光制御装置における調光操作卓のブロック構成図。
【図７】同上調光制御装置における停電時の処理フローチャート図。
【図８】同上調光制御装置において用いられる照明負荷の優先度順位データの例を示す図。
【図９】従来及び本発明における調光制御装置の全体構成図。
【図１０】従来の調光制御装置における調光操作卓のブロック構成図。
【図１１】従来の調光制御装置において用いられるシーンデータの例を示す図。
【図１２】従来及び本発明が適用される照明負荷の配置例を示す平面図。
【符号の説明】
【００２８】
１    調光操作卓
２    負荷回路
３    照明負荷
４    電源切り替え部
５    停電検出部
７    バックアップ電源
１０    調光制御装置
１６    停電時最適出力選択部
Ｓ    調光信号
【図１】
2006128002.tif 000003
【図２】
2006128002.tif 000004
【図３】
2006128002.tif 000005
【図４】
2006128002.tif 000006
【図５】
2006128002.tif 000007
【図６】
2006128002.tif 000008
【図７】
2006128002.tif 000009
【図８】
2006128002.tif 000010
【図９】
2006128002.tif 000011
【図１０】
2006128002.tif 000012
【図１１】
2006128002.tif 000013
【図１２】
2006128002.tif 000014